(57)【要約】【課題】天井等高所に配置された部品を脱着するときに、作業者が部品脱着工具を支える必要がなく作業者の負担が軽減される部品脱着工具を得る。【解決手段】部品脱着工具１０を使用して、高所に固定されているシャワーノズル１４を取外す場合には、部品脱着工具１０の先端部に固定されたソケット２０をシャワーノズル１４へ近づけると同時に、保持部材２８を配水管１２に近づける。さらに、部品脱着工具１０を上方に移動させると、配水管１２を挟持リンク３２が把持して部品脱着工具１０が配水管１２に支えられ、ソケット２０はシャワーノズル１４にかみ合う。そこで、パイプ１６の下端から突出した軸部材１８を回転させ、シャワーノズル１４を配水管１２から取外す。【選択図】図１
2006334764.tif 000002
【特許請求の範囲】
【請求項１】
開閉して被保持部材を把持、又は把持を解除される保持部材と、
前記保持部材に吊下され、前記保持部材が前記被保持部材を把持した状態で、前記被保持部材に装着された被脱着部品とかみ合うための嵌合部材と、
前記嵌合部材を回転させ、前記被脱着部品を脱着する回転手段と、
を備えた部品脱着工具。
【請求項２】
前記保持部材は前記回転手段である軸部材を回転自在に収納する収納部材に取付けられることを特徴とする請求項１に記載の部品脱着工具。
【請求項３】
前記保持部材は、前記被保持部材を把持する一対の開閉挟持リンクと、
前記開閉挟持リンクの先端部を閉じ方向に付勢する閉方向付勢部材と、
前記開閉挟持リンクの先端部に設けられ、前記開閉挟持リンクが前記被保持部材へ押圧されることで前記開閉挟持リンクを前記閉方向付勢部材の付勢力に抗して開放させるガイド部と、
を備えた請求項１に記載の部品脱着工具。
【請求項４】
前記被保持部材に装着された前記被脱着部品は角形部品であり、前記嵌合部材には、前記角形部品の角部が当たり、前記角形部品がかみ合う嵌合口を前記角形部品に案内する誘い面が設けられることを特徴とする請求項１に記載の部品脱着工具。
【請求項５】
前記嵌合部材の下部には、前記嵌合部材を前記角形部品に向って付勢する押方向付勢部材が設けられ、前記保持部材が前記被保持部材を把持する位置へ至った状態で、押方向付勢部材の付勢力によって前記誘い面と前記角形部品とが当たることを特徴とする請求項４記載の部品脱着工具。
【発明の詳細な説明】
【技術分野】
【０００１】
本発明は、天井等高所に配置される部品を脱着する部品脱着工具に関する。
【背景技術】
【０００２】
従来、天井等高所に配置される部品の脱着用ソケットレンチが開示されている。（特許文献１）
このソケットレンチは、天井等高所に配置された部品と地上との距離に対応させて伸縮可能な筒状の長尺物の棒と、その先端に取付けられたソケットとで構成されている。このソケットレンチを使用することによって、天井等高所への配線、配管等の取付、又は、吊下げ用のボルトにナットを脱着する作業が地上から行える。
【特許文献１】実願平７−５６６３号公報
【発明の開示】
【発明が解決しようとする課題】
【０００３】
しかしながら、このソケットレンチを使用して、高所のナットを脱着する場合に、地上にいる作業者が、ソケットレンチを鉛直上方に向け、ナットにソケットをかみ合わせてソケットレンチを回転させて、ナットを脱着する。この作業では、作業者が、長尺物のソケットレンチを地上で支えながら、同時に、このソケットレンチを回転させなければならない。
【０００４】
本発明は、上記事実を考慮し、作業者が部品脱着工具を回転させて天井等高所に配置された部品を脱着するときには、作業者が部品脱着工具を支える必要がなく、作業者の負担が軽減される部品脱着工具を提供することが目的である。
【課題を解決するための手段】
【０００５】
本発明の請求項１に係る部品脱着工具は、開閉して被保持部材を把持、又は把持を解除される保持部材と、前記保持部材に吊下され、前記保持部材が前記被保持部材を把持した状態で、前記被保持部材に装着された被脱着部品とかみ合うための嵌合部材と、前記嵌合部材を回転させ、前記被脱着部品を脱着する回転手段と、を有することを特徴とする。
【０００６】
上記構成によれば、天井等高所の手が届かない位置に配置され、被保持部材に装着される被脱着部品を脱着する場合に、保持部材が被保持部材を把持することにより、部品脱着工具は、被保持部材に吊下される。この状態で、部品脱着工具に設けられた嵌合部材は、被脱着部品とかみ合う。そこで、回転手段によって嵌合部材を回転させることで被脱着部品が脱着される。また、作業が終了すると保持部材は被保持部材から把持を解除される。
【０００７】
本発明の請求項２に係る部品脱着工具は、請求項１記載において、前記保持部材は前記回転手段である軸部材を回転自在に収納する収納部材に取付けられることを特徴とする。
【０００８】
上記構成によれば、保持部材は、軸部材を回転自在に収納する収納部材に取付けられる。
【０００９】
本発明の請求項３に係る部品脱着工具は、請求項１記載において、前記保持部材は、前記被保持部材を把持する一対の開閉挟持リンクと、前記開閉挟持リンクの先端部を閉じ方向に付勢する閉方向付勢部材と、前記開閉挟持リンクの先端部に設けられ、前記開閉挟持リンクが前記被保持部材へ押圧されることで前記開閉挟持リンクを前記閉方向付勢部材の付勢力に抗して開放させるガイド部と、を有することを特徴とする。
【００１０】
上記構成によれば、閉方向付勢部材によって先端部が閉方向に付勢される開閉挟持リンクの先端部に設けられたガイド部が被保持部材に押圧され、開閉挟持リンクの先端部は開き、先端部が被保持部材を通過すると先端部が閉じて被保持部材を把持する。
【００１１】
本発明の請求項４に係る部品脱着工具は、請求項１記載において、前記被保持部材に装着された前記被脱着部品は角形部品であり、前記嵌合部材には、前記角形部品の角部が当たり、前記角形部品がかみ合う嵌合口を前記角形部品に案内する誘い面が設けられることを特徴とする。
【００１２】
上記構成によれば、角形部品の角部と嵌合部材の誘い面とが当たり嵌合口が角形部品に案内される。
【００１３】
本発明の請求項５に係る部品脱着工具は、請求項４記載において、前記嵌合部材の下部には、前記嵌合部材を前記角形部品に向って付勢する押方向付勢部材が設けられ、前記保持部材が前記被保持部材を把持する位置へ至った状態で、押方向付勢部材の付勢力によって前記誘い面と前記角形部品とが当たることを特徴とする。
【００１４】
上記構成によれば、保持部材が被保持部材を把持する位置へ至ると、押方向付勢部材によって、嵌合部材が角形部品に向って付勢され、嵌合部材の誘い面と角形部品の角部とが当たる。これによって、嵌合口が角形部品に案内される。
【発明の効果】
【００１５】
請求項１記載の本発明の部品脱着工具によれば、作業者が部品脱着工具を回転させて天井等高所に配置された部品を脱着するときには、作業者が部品脱着工具を支える必要がなく、作業者の負担が軽減される。
【００１６】
請求項２記載の本発明の部品脱着工具によれば、嵌合部材を回転させても保持部材が回転しない安価な機構となっている。
【００１７】
請求項３記載の本発明の部品脱着工具によれば、開閉挟持リンクを被保持部材に押圧すると、保持部材が被保持部材を把持することができるため、把持させる作業が容易になった。
【００１８】
請求項４記載の本発明の部品脱着工具によれば、作業者による嵌合口を角形部品に案内する負担が軽減される。
【００１９】
請求項５記載の本発明の部品脱着工具によれば、作業者による嵌合口を角形部品に案内する負担が一層軽減される。
【発明を実施するための最良の形態】
【００２０】
本発明の部品脱着工具の実施形態を図１〜７に従って説明する。
【００２１】
図１には、本実施形態が適用された部品脱着工具１０が示されている。この部品脱着工具は、高所に配置された被保持部材である軸心が横方向配置の配水管１２に取付けられる被脱着部材としての角形部品である軸心が縦方向配置のシャワーノズル１４を脱着するための工具である。この部品脱着工具には、例えば長手方向で２メートルとされる長尺物の収納部材である円筒形のパイプ１６が設けられている。このパイプ１６の中空部内には、回転手段としての円柱形状の軸部材１８が、回転自在に挿入され、軸部材１８の上端部及び下端部は、パイプ１６から突出している。
【００２２】
軸部材１８の上端部には、シャワーノズル１４を脱着するために、シャワーノズル１４とかみ合うための嵌合部材としてのソケット２０が設けられている。図２，６に示されるように、ソケット２０は、円筒形状とされ、先端部には、その外周形状が広がってシャワーノズル１４を受ける円すい面の拡径部２０Ａが設けられている。また、図４に示されるように、シャワーノズル１４とかみ合うソケット２０の嵌合口２０Ｋの形状は、ソケット２０の軸方向から見て、２つの同一の正六角形をその重心回りに３０°ずらして重ねた形状となっており、１２個の凸角２０Ｈと１２個の凹角２０Ｊとから構成されている。さらに凹角２０Ｊの頂点から拡径部２０Ａの縁部２０Ｂを最短で掛け渡す頂辺２０Ｃと、頂辺２０Ｃと縁部２０Ｂとの交点２０Ｄから凸角２０Ｈの頂点を最短で結ぶ円すい面の一辺である斜辺２０Ｅと、凸角２０Ｈと凹角２０Ｊとを結ぶ底辺２０Ｆとで三角形状の誘い面２０Ｇが形成されている。
【００２３】
図２、６に示されるように、ソケット２０の下方には、軸部材１８の外周径が広げられた段部１８Ａを介して、ソケット２０を滑らかにソケット２０の円周方向に回転させるベアリング２２が配置されている。ベアリング２２は、上側に配置される円板形状の上部円板プレート２２Ａ、下側に配置される円板形状の下部円板プレート２２Ｂ、及びその２枚の円板プレートに挟まれるボール２２Ｃから構成されている。また、ベアリング２２の下方には、パイプ１６の軸方向に付勢力をもち、ソケット２０をシャワーノズル１４に向って付勢する押方向付勢部材としての第１圧縮コイルスプリング２４が設けられ、さらにその下方には、第１圧縮コイルスプリング２４の下端を支持する円盤プレート２６がパイプ１６の先端部に溶接されている。
【００２４】
この構成で、図７に示されるように、ソケット２０の嵌合口２０Ｋとシャワーノズル１４とのかみ合わせが回転方向で不揃いの場合には、ソケット２０の誘い面２０Ｇとシャワーノズル１４の角部とが当たる。第１圧縮コイルスプリング２４（図６参照）よって、シャワーノズル１４に向って付勢されるソケット２０は、ソケット２０の誘い面２０Ｇがシャワーノズル１４の角部と当たりることで誘い面２０Ｇに沿って回転しようとする。そこで、ベアリング２２（図６参照）が設けられているため、ソケット２０は滑らかにその円周方向（図７に示すＮ方向）に回転し、ソケット２０の嵌合口２０Ｋがシャワーノズル１４とかみ合う。
【００２５】
一方、図３に示されるように、保持部材２８は支持部材３０を介してパイプ１６の外周面に取付けられている。さらに、図１で示されるように、配水管１２を把持する保持部材２８は、リンク機構を構成する４本のリンクと４つの回転軸によって構成されている。
【００２６】
保持部材２８が支持部材３０に軸支される第１回転軸３４で、一対の開閉挟持リンク３２は、互いに交差して軸支されている。また、この第１回転軸を通る垂直線を基準に、一対の開閉挟持リンク３２は対称形状に配置され、さらに、開閉挟持リンク３２は、第１回転軸３４の上方で半円形状となっており、第１回転軸３４の下方ではその基端を斜め下方に向けて直線形状となっている。この構成により、第１回転軸３４の上方では、開閉挟持リンク３２の半円形状が互いに向かい合って１つの円形状となっている。また、開閉挟持リンク３２の半円形状の先端部には、ガイド部としての円弧面が設けられた回転体である回転ローラ３６が回転自在に軸支されている。
【００２７】
開閉挟持リンク３２の基端部には、開閉挟持リンク３２の先端部の開閉を制限する一対の直線形状の支持リンク３８の上端部が回転支軸４０にて軸支されている。この支持リンク３８の下端部は、互いに第２回転軸４２にて軸支されており、さらに第２回転軸４２の移動範囲は、支持部材３０に設けられた縦長形状のスロット穴３０Ａによって制限されている。これによって、支持リンク３８は、その上端部に取付けられた開閉挟持リンク３２の先端部の開閉を制限している。また、対向する回転支軸４０は、閉方向付勢部材としての第２引張コイルスプリング４４によって連結されている。この第２引張コイルスプリング４４によって、開閉挟持リンク３２の先端部が閉方向に付勢され、２つの回転ローラ３６は、互いに押し付け合っている。
【００２８】
この構成によって、配水管１２に下方から部品脱着工具１０を近づけると、図５（Ａ）で示すように、２つの回転ローラ３６が配水管１２に接する。さらにこの状態から上方（図５（Ａ）で示すＥ方向）に部品脱着工具１０を押圧すると２つの回転ローラ３６が、第２引張コイルスプリング４４の付勢力によって配水管１２の外周面を押しながら回転する。これによって、図５（Ｂ）で示すように、一対の開閉挟持リンク３２の先端部が離れる方向に移動する。なお、開閉挟持リンク３２の基端部の動きが支持リンク３８によって制限されているため、一対の開閉挟持リンク３２は、それぞれ同じように開方向に移動する。
【００２９】
配水管１２の外形が最大となる箇所を回転ローラ３６が通過すると図５（Ｃ）で示すように、２つの回転ローラ３６は、回転しながら第２引張コイルスプリング４４の付勢力によって互いに近づく。さらに、図５（Ｄ）で示すように、回転ローラ３６が、完全に配水管１２を通過すると、２つの回転ローラ３６は、互いに接し、開閉挟持リンク３２で構成される円形状の内部に配水管１２が配置され、配水管１２を開閉挟持リンク３２が把持する。これによって、部品脱着工具１０は、配水管１２に支えられる。第２引張コイルスプリング４４の引張力は、開閉挟持リンク３２が配水管１２を把持した状態で、作業者が部品脱着工具１０から手を離しても開閉挟持リンク３２が配水管１２を把持した状態が保たれるように設定されている。さらに、作業者が回転ローラ３６を配水管１２に押圧した場合には、開閉挟持リンク３２の先端部が離れる方向に移動するように第２引張コイルスプリング４４の引張力は設定されている。
【００３０】
なお、開閉挟持リンク３２で構成される円形状の内径寸法（図５（Ａ）で示すＦ寸法）は、配水管１２の外形寸法（図５（Ａ）で示すＧ寸法）に対してやや大きめに設けられており、開閉挟持リンク３２と配水管１２との隙は、小さくなっている。また、図１で示されるように、一対の開閉挟持リンク３２から構成される円形状の中心点とソケット２０の嵌合口２０Ｋの上端部との上下差寸法（図１（Ａ）で示すＨ寸法）と、配水管１２の中心線とシャワーノズル１４の上面との上下差寸法（図１（Ａ）で示すＪ寸法）とは、同寸法となっている。これによって、保持部材２８が配水管１２を把持すると、ソケット２０がシャワーノズル１４とかみ合う構成となっている。また、図１（Ａ）に示すＫ寸法を出来るだけ小さくするために、Ｋ寸法をＬ寸法と同寸法とすることで、作業者が部品脱着工具をおす力の軸線と保持部材２８との距離が小さくなり、安定した作業ができる。
【００３１】
次に本実施形態の作用を説明する。
【００３２】
図１（Ａ）に示されるように、本実施形態の部品脱着工具１０を使用して、高所に固定されているシャワーノズル１４を取外す場合には、作業者が、部品脱着工具１０を支えて、先端部に固定されたソケット２０をシャワーノズル１４へ近づけると同時に、保持部材２８を配水管１２に近づける。
【００３３】
これによって、図５（Ａ）で示されるように、保持部材２８の先端部に軸支された回転ローラ３６が配水管１２に接する。さらに、部品脱着工具１０を上方に押圧すると、図５（Ｂ）で示すように回転ローラ３６が回転しながら開閉挟持リンク３２の先端部が開放し、図５（Ｄ）で示すように配水管１２を開閉挟持リンク３２が把持する。この状態で、部品脱着工具１０が配水管１２に支えられて、ソケット２０がシャワーノズル１４にかみ合う。
【００３４】
なお、図７に示されるように、ソケット２０の嵌合口２０Ｋとシャワーノズル１４とのかみ合わせが不揃いの場合には、ソケット２０の誘い面２０Ｇとシャワーノズル１４の角部とが当たる。誘い面２０Ｇがシャワーノズル１４の角部と当たることで第１圧縮コイルスプリング２４（図６参照）よって付勢されるソケット２０が誘い面２０Ｇに沿って回転し、ソケット２０の嵌合口２０Ｋはシャワーノズル１４とかみ合う。
【００３５】
図１（Ｂ）に示されるように、この部品脱着工具１０が支えられた状態で、作業者は、パイプ１６の下端から突出した軸部材１８を回転させれば、シャワーノズル１４が配水管１２から取外される。この後、部品脱着工具１０を下方（図５（Ｄ）に示すＭ方向）に引くと回転ローラ３６が配水管１２に接する。さらに、部品脱着工具１０を下方に引くと、図５（Ｃ）で示すように回転ローラ３６が回転しながら開閉挟持リンク３２の先端部が開放し、図５（Ａ）で示すように開閉挟持リンク３２が配水管１２の把持を解除する。
【００３６】
一方、シャワーノズル１４を配水管１２に取付ける場合には、予めソケット２０に新規なシャワーノズル１４を挿入しておき、上記と同様の操作を行う。
【００３７】
従って、脚立を使用して、何度も作業者が脚立を上り下りして、ハンドツールによって直接シャワーノズルを脱着する作業と比較すると、脚立から足を滑らせて転落する危険が無くなり、さらに、脚立を運ぶ時間及び脚立を上り下りする時間等を考慮すると非常に効率のよい作業ができる。
【００３８】
また、作業者が部品脱着工具１０の軸部材１８を回転させて高所に配置されたシャワーノズル１４を脱着するときには、部品脱着工具１０は配水管１２に支えられているため、作業者の負担が軽減される。
【００３９】
また、開閉挟持リンク３２の先端に設けられた回転ローラ３６が回転しながら開閉挟持リンク３２が配水管１２を把持するため、保持部材２８と配水管１２との摩擦抵抗が少なくなり、小さな力で保持部材２８が配水管１２を把持する。
【００４０】
また、開閉挟持リンク３２の先端は第２引張コイルスプリング４４によって閉方向に付勢されているため、開閉挟持リンク３２の先端を閉じる作業が不用となる。
【００４１】
また、開閉挟持リンク３２と配水管１２との隙は、小さくなっているため、開閉挟持リンク３２と配水管１２とのガタツキが少ない。
【００４２】
また、ソケット２０の先端部に設けられた拡径部２０Ａによって、ソケット２０の嵌合口２０Ｋをシャワーノズル１４の位置まで案内するため、作業者の負担が軽減される。
【００４３】
また、拡径部２０Ａによってシャワーノズル１４の位置まで案内されたソケット２０の嵌合口２０Ｋとシャワーノズル１４とのかみ合わせが回転方向で不揃いの場合がある。この場合には、ソケット２０の誘い面２０Ｇが、第１圧縮コイルスプリング２４の付勢力によってシャワーノズル１４の角部に押しつけられ、さらに、ソケット２０は、誘い面２０Ｇがシャワーノズル１４の角部と当たり誘い面２０Ｇに沿って回転し、ソケット２０の嵌合口２０Ｋがシャワーノズル１４とかみ合い、作業者の負担が軽減される。
【００４４】
また、シャワーノズル１４を脱着するために軸部材１８を回転させる際、ベアリング２２によって軸部材１８の段部１８Ａと第１圧縮コイルスプリング２４との摩擦抵抗が軽減されスムーズに軸部材１８が回転される。
【００４５】
また、部品脱着工具１０の単純上下移動だけで、配水管１２と保持部材２８との把持、又は把持を解除することができるため、作業が簡単である。
【００４６】
なお、本発明を特定の実施形態について詳細に説明したが、本発明は係る実施形態に限定されるものではなく、本発明の範囲内にて他の種々の実施形態が可能であることは当業者にとって明らかである。例えば、上記実施形態では、第２引張コイルスプリング４４を用いて開閉挟持リンク３２に付勢力を与えたが、第１回転軸３４にトーションスプリングなどの他の弾性体を配置して開閉挟持リンク３２に付勢力を与えてもよい。
【図面の簡単な説明】
【００４７】
【図１】（Ａ）本発明の実施形態に係る部品脱着工具の全体を示した斜視図である。（Ｂ）本発明の実施形態に係る部品脱着工具の全体を示し、配水管によって支えられた状態を示した斜視図である。
【図２】本発明の実施形態に係る部品脱着工具を示し、図１に示す部品脱着工具の上部を軸直角方向から見た工具の軸線上の断面図である。
【図３】本発明の実施形態に係る部品脱着工具の全体を示し、図１に示す部品脱着工具を工具の軸直角方向からみた側面図である。
【図４】（Ａ）本発明の実施形態に係る部品脱着工具を示し、図１に示す部品脱着工具のソケットを示し、工具の軸方向上方から見た平面図である。（Ｂ）本発明の実施形態に係る部品脱着工具を示し、図１に示す部品脱着工具のソケットを示した斜視図である。
【図５】（Ａ）本発明の実施形態に係る部品脱着工具の保持部材を示し、保持部材が配水管を把持する前の状態を示した正面図である。（Ｂ）本発明の実施形態に係る部品脱着工具の保持部材を示し、保持部材が配水管を把持しようとしはじめた状態を示した正面図である。（Ｃ）本発明の実施形態に係る部品脱着工具の保持部材を示し、保持部材が配水管を把持しようとしている状態を示した正面図である。（Ｄ）本発明の実施形態に係る部品脱着工具の保持部材を示し、保持部材が配水管を把持した状態を示した正面図である。
【図６】本発明の実施形態に係る部品脱着工具を示し、図１に示す部品脱着工具の上部を示した斜視図である。
【図７】本発明の実施形態に係る部品脱着工具のソケット、シャワーノズル、及び誘い面等を示した斜視図である。
【符号の説明】
【００４８】
１０    部品脱着工具
１２    配水管（被保持部材）
１４    シャワーノズル（被脱着部品）
１６    パイプ（収納部材）
１８    軸部材（回転手段）
２０    ソケット（嵌合部材）
２０Ｇ  誘い面
２４    第１圧縮コイルスプリング（押方向付勢部材）
２８    保持部材
３２    開閉挟持リンク
３６    回転ローラ（ガイド部）
４４    第２引張コイルスプリング（閉方向付勢部材）
【図１】
2006334764.tif 000003
【図２】
2006334764.tif 000004
【図３】
2006334764.tif 000005
【図４】
2006334764.tif 000006
【図５】
2006334764.tif 000007
【図６】
2006334764.tif 000008
【図７】
2006334764.tif 000009